(57)【要約】      （修正有）【課題】動力源生成装置の提供。【解決手段】塔台頂層、及び、底層に水槽を設置し、底層水槽１２に汲み取り機１３を設置する。汲み取り機は、管体１４により頂層水槽１１に連接され、塔台１内に複数の畳置する容置室１５を設置し、これらの容置室間の仕切り１６は、それぞれ、出水孔１６１を設置し、容置室内に、それぞれ、転動機構２を設置する。転動機構は複数の容器２１を設置し、容器開口は異なる角度に排列され、且つ、転動機構の回転軸２２が発電素子の軸心に枢接され、頂層水槽に注水後、水は、各容置室仕切りの出水孔に沿って、転動機構の容器に流入し、各容器が受ける水の重量が転動機構を固定方向に転動させて、発電素子の軸心を帯動して電気エネルギーを生成させ、汲み取り機により、底層水槽の水が頂層水槽に汲み取られ、このような循環動作により、持続した動力源を生成する。【選択図】図１
0003139108.tif 000002
【実用新案登録請求の範囲】
【請求項１】
動力源生成装置であって、主に、塔台からなり、頂層と底層に、それぞれ、頂層水槽と底層水槽を設置し、内部に複数の畳置した容置室を設置し、これらの容置室間に設けられた仕切りには出水孔を有し、
転動機構は、複数の容器からなり、前記容器開口は異なる角度に排列され、前記容器の中心に回転軸を有し、前記回転軸が発電素子の軸心に枢接され、
上述の素子の組み合わせにより、動力源生成装置を構成し、頂層水槽に注水後、水は、各容置室仕切りの出水孔に沿って下に流出し、下の一層の容置室の転動機構に流入し、各容器が受ける水の重量が前記転動機構を固定方向に転動させて、前記発電素子の軸心を帯動して電気エネルギーを生成させることを特徴とする動力源生成装置。
【請求項２】
前記塔台の底層水槽は汲み取り機を設置し、前記汲み取り機は、管体により前記頂層水槽に連接され、前記頂層水槽が注入する水は特殊な要素により、断続、或いは、中断し、水量不足の時、前記汲み取り機により、前記底層水槽の水を前記頂層水槽に送り、このような循環動作が持続した動力源を生成することを特徴とする請求項1に記載の動力源生成装置。
【請求項３】
前記容置室間の仕切りは、出水孔から上向けに傾斜し、水が前記出水孔に集中することを特徴とする請求項1に記載の動力源生成装置。
【請求項４】
前記塔台の外側は、水源に連接する管体を設置し、前記管体は複数の支管を設置し、前記支管は各容置室に伸入し、前記塔台内の循環水が、蒸発等の要素により流出するか、或いは、前記頂層水槽に注入する水が特殊な要素により断続、或いは、中断する時、適当に補充することを特徴とする請求項1に記載の動力源生成装置。
【請求項５】
前記転動機構に枢接する発電素子は発電機であることを特徴とする請求項1に記載の動力源生成装置。
【考案の詳細な説明】
【技術分野】
【０００１】
本考案は動力源生成装置に関するものであって、特に、外部起動エネルギー源が不要で、循環動作により、持続した電気エネルギーを構成する動力源生成装置に関する。
【背景技術】
【０００２】
地球のエネルギーの持続的消耗により、温暖化がひどく、エネルギー不足も進んでおり、各国は自然方式の電力供給の研究に努力している。現在、発電方式は火力、水力、風力、及び、核エネルギー等があり、火力発電は、石油を燃焼させて発電させるので、地球資源を使用し、燃焼するので、温暖化の元凶となっている。
【０００３】
水力発電は、大型の水車を製造しなければならず、実際の応用には、一定の衝撃力がある水流で水車を転動させ、発電機にエネルギーを生成させるが、コストが高く、適当な場所に設置しなければならないので、推進することが難しい。
【０００４】
風力発電は、高い塔を製造し、塔の頂端に大型のブレードを設置し、一定の風力によりブレードを吹動し、転動により、発電機を帯動してエネルギーを生成するもので、そのコストが高く、経常的に風のある地区に設置する必要があるので、風力が小さい領域では適用できない。
【０００５】
核エネルギー発電は、その安全性と地球の汚染について、環境保護者達の疑いと争議が絶えない。
【考案の開示】
【考案が解決しようとする課題】
【０００６】
本考案の目的は、動力源生成装置を提供し、外部起動エネルギーなしでも、循環動作で持続したエネルギーを構成し、環境保全の目的を達成することにある。
【課題を解決するための手段】
【０００７】
本考案の動力源生成装置は、塔台からなり、塔台頂層、及び、底層に水槽を設置し、底層水槽に汲み取り機を設置する。汲み取り機は、管体により頂層水槽に連接され、塔台内に複数の畳置する容置室を設置し、これらの容置室間の仕切りは、それぞれ、出水孔を設置し、容置室内に、それぞれ、転動機構を設置する。転動機構は複数の容器を設置し、容器開口は異なる角度に排列され、且つ、転動機構の回転軸が発電素子の軸心に枢接され、頂層水槽に注水後、水は、各容置室仕切りの出水孔に沿って、下に転動機構の容器に流入し、各容器が受ける水の重量が転動機構を固定方向に転動させて、発電素子の軸心を帯動して電気エネルギーを生成させ、汲み取り機により、底層水槽の水が頂層水槽に汲み取られ、このような循環動作により、持続した動力源を生成する。
【０００８】
前述の動力源生成装置は、容置室間の仕切りが、出水孔から上向けに傾斜して、出水孔に集中しやすい。
【０００９】
前述の動力源生成装置は、塔台の外側に水源を連接する管体を有し、管体は複数の支管を設置し、支管が各容置室に伸入し、塔台内の循環水が蒸発等の要素により流失する時、適当に補充する。
【考案の効果】
【００１０】
本考案により、持続した動力源を生成し、環境保護の目的を達成することができる。
【考案を実施するための最良の形態】
【００１１】
図１〜図３を参照すると、本考案は、塔台１からなり、塔台１の頂層、及び、底層は、それぞれ、頂層水槽１１、及び、底層水槽１２を設置し、底層水槽１２に汲み取り機１３を設置する。汲み取り機１３は、管体１４により頂層水槽１５に連接される。
【００１２】
塔台１内に複数の畳置する容置室１５を設置し、これらの容置室１５間の仕切り１６は、それぞれ、出水孔１６１を設置し、仕切り１６は出水孔１６１から上向けに傾斜する。
【００１３】
塔台１の各容置室１５に、それぞれ、転動機構２を設置する。転動機構２は複数の容器２１を設置し、容器２１開口は異なる角度に排列され、容器２１の中心は回転軸２２を有し、回転軸２２は、伝動ベルト２３により発電素子３（発電機）の軸心３１に枢接される。
【００１４】
塔台１の外側は、水源（水道水等）に連接する管体１７を設置し、管体１７は複数の支管１７１を設置し、支管１７１が各容置室１５内に伸入し、支管１７１はそれぞれ制御弁１７２を有する。
【００１５】
前述の素子の組み合わせにより、動力源生成装置を構成し、河川下流の河岸、海水の引入箇所、或いは、大型の雨水貯水槽の下方に配置し、頂層水槽１１が不断に注水された後、注入された水は各容置室１５の仕切り１６の出水孔１６１に沿って下に流出すると共に、下の一層の容置室１５の転動機構２の容器２１に流入し、各容器２１の受ける水の重量が転動機構２を固定方向に転動させて、発電素子３に連接される電源線３２が蓄電装置に伝送され、エネルギーを保存し、汲み取り機１３により、底層水槽１２の水を頂層水槽１１に送り、このような循環動作により、持続した動力源を生成する。
【００１６】
図４と図５を参照すると、本考案の実際の操作時、河川下流の河岸、海水の引入箇所、或いは、大型の雨水貯水槽の下方に配置し、川水、海水、或いは、雨水は、頂層水槽１１で不断に注入された後、注入された水は各容置室１５の仕切り１６の出水孔１６１に沿って下に流出すると共に、下の一層の容置室１５の転動機構２の容器２１に流入し、各容器２１の受ける水の重量が転動機構２を固定方向に転動させて、伝動ベルト２３により発電素子３の軸心３１を帯動して転動させ、発電素子３はコイルの励磁によりエネルギーを生成し、発電素子３に連接された電源線３２は蓄電装置に伝送され、エネルギーが導出して保存され、異なる電気設備での使用に提供される。
【００１７】
図６を参照すると、水が各容置室１５の仕切り１６に設けられた出水孔１６１に沿って下向けに流出した後、一部の水が底層水槽１２に集中し、頂層水槽１１に注入される水は特殊な要素により断続、或いは、中断し、水量不足時、汲み取り機１３により、底層水槽１２の水を汲み取り、管体１４により頂層水槽１１内に導入し、これにより、暫時の水の循環流動動作を達成し、発電素子３を不断に起動させ、持続した動力源を生成し、且つ、頂層水槽１１が正常な注水を回復した後、汲み取り機１３を停止する。
【００１８】
図７で示されるように、本考案の塔台１の外側は、水源に連接される管体１７を設置し、管体１７は複数の支管１７１を設置し、支管１７１が各容置室１５内に伸入し、支管１７１は、それぞれ、制御弁１７２を設置し、塔台１内の循環水が蒸発等の要素で流失したり、或いは、頂層水槽１１が注入する水が特殊な要素により断続、或いは、中断するとき、制御弁１７２を開いて、水を適当に補充し、正常な動力源生成を保持する。
【図面の簡単な説明】
【００１９】
【図１】本考案の構造図である。
【図１Ａ】本考案の構造図である。
【図２】本考案の転動機構立体図である。
【図３】本考案の転動機構平面図である。
【図４】本考案の動作実施例図である。
【図５】本考案の動作実施例図である。
【図６】本考案の循環汲み取り動作実施例図である。
【図７】本考案の水補充動作の実施例図である。
【符号の説明】
【００２０】
１        塔台
１１      頂層水槽
１２      底層水槽
１３      汲み取り機
１４      管体
１５      容置室
１６      仕切り
１６１    出水孔
２        転動機構
２１      容器
２２      回転軸
２３      伝動ベルト
３        発電素子
３１      軸心
１７      管体
１７１    支管
１７２    制御弁
３２      電源線
【図１】
0003139108.tif 000003
【図１Ａ】
0003139108.tif 000004
【図２】
0003139108.tif 000005
【図３】
0003139108.tif 000006
【図４】
0003139108.tif 000007
【図５】
0003139108.tif 000008
【図６】
0003139108.tif 000009
【図７】
0003139108.tif 000010